(57)【要約】【課題】  マウンティングカップの圧縮ガス導入孔からエアゾール製品の容器内に導入される圧縮ガスを容器内の内容液に従来より容易に溶け込ませることができるエアゾールバルブを提供する。【解決手段】  炭酸ガス１２が導入されるための孔３１ａが形成されているマウンティングカップ３１と、孔３１ａに挿入されているステム３２と、エアゾール製品１０の容器２０内の内容液１１に浸かっているパイプ３６とを備えているエアゾールバルブ３０のハウジング４０は、内容液１１を流通させるための内容液用孔４０ａと、炭酸ガス１２を流通させるための圧縮ガス用孔４０ｂとが形成されており、ハウジング４０は、ステム３２側から圧縮ガス用孔４０ｂを介したパイプ３６内側への炭酸ガス１２の流通を許容し、パイプ３６内側から圧縮ガス用孔４０ｂを介したステム３２側への炭酸ガス１２の流通を防止する逆流防止部４０ｃを備えている。【選択図】  図１
2014084151.tif 000002
【特許請求の範囲】
【請求項１】
エアゾール製品の容器内の内容液を前記容器外に放出するための圧縮ガスが導入されるための圧縮ガス導入孔が形成されていて、前記容器に取り付けられるマウンティングカップと、前記マウンティングカップに支持されているハウジングと、前記ハウジングに取り付けられていて、前記容器内の前記内容液に浸かって前記内容液を前記ハウジング内に流通させるためのパイプと、前記マウンティングカップの前記圧縮ガス導入孔に挿入されている状態で前記ハウジングに移動可能に収納されていて、前記ハウジング内の前記内容液を前記容器外に放出するためのステムとを備えているエアゾールバルブであって、
前記ハウジングは、前記パイプ内側から前記ステム側に前記内容液を流通させるための内容液用孔と、前記ステム側から前記パイプ内側に前記圧縮ガスを流通させるための圧縮ガス用孔とが形成されており、
前記ハウジングは、前記ステム側から前記圧縮ガス用孔を介した前記パイプ内側への前記圧縮ガスの流通を許容し、前記パイプ内側から前記圧縮ガス用孔を介した前記ステム側への前記圧縮ガスの流通を防止する逆流防止部を備えていることを特徴とするエアゾールバルブ。
【請求項２】
前記逆流防止部は、前記圧縮ガス用孔の少なくとも一部を形成するガス用孔形成部材と、前記パイプ内側から前記圧縮ガス用孔を介した前記ステム側への前記圧縮ガスの流通を前記ガス用孔形成部材に接触することによって防止するラバーであるハウジングラバーとを備えており、
前記ハウジングラバーは、前記圧縮ガス導入孔から前記ステム側に導入された前記圧縮ガスの導入の圧力によって変形することによって、前記ガス用孔形成部材との間に隙間を生じることを特徴とする請求項１に記載のエアゾールバルブ。
【請求項３】
前記ハウジングは、前記ガス用孔形成部材とともに前記ハウジングラバーを挟み込んで固定するラバー固定部材を備えており、
前記ガス用孔形成部材は、前記ラバー固定部材を収納する固定部材収納穴が形成されており、
前記圧縮ガス用孔の少なくとも一部は、前記固定部材収納穴における前記ガス用孔形成部材と、前記ラバー固定部材との間の隙間であることを特徴とする請求項２に記載のエアゾールバルブ。
【請求項４】
前記内容液用孔は、前記固定部材収納穴内を通っていることを特徴とする請求項３に記載のエアゾールバルブ。
【請求項５】
請求項１から請求項４までの何れかに記載のエアゾールバルブと、前記エアゾールバルブの前記マウンティングカップが取り付けられる前記容器とを備えていることを特徴とするエアゾール製品。
【請求項６】
前記容器内に前記内容液および前記圧縮ガスを備えており、
前記圧縮ガスは、炭酸ガスであることを特徴とする請求項５に記載のエアゾール製品。
【発明の詳細な説明】
【技術分野】
【０００１】
本発明は、エアゾール製品の容器に取り付けられるエアゾールバルブに関する。
【背景技術】
【０００２】
従来、エアゾール製品の容器内の内容液をこの容器外に放出するための炭酸ガスなどの圧縮ガスが導入されるための圧縮ガス導入孔が形成されていて、この容器に取り付けられるマウンティングカップと、スリットが形成されていて、マウンティングカップに支持されているハウジングと、ハウジングに取り付けられていて、容器内の内容液に浸かってこの内容液をハウジング内に流通させるためのパイプと、マウンティングカップの圧縮ガス導入孔に挿入されている状態でハウジングに移動可能に収納されていて、ハウジング内の内容液を容器外に放出するためのステムと、マウンティングカップおよびハウジングに支持されていて、内容液が容器外に放出されることをステムに接触することによって防止するためのステムラバーとを備えているエアゾールバルブが知られている（特許文献１参照。）。
【０００３】
このエアゾールバルブは、エアゾール製品の容器内の内容液の放出用のガスとして、炭酸ガスなどの圧縮ガスがマウンティングカップの圧縮ガス導入孔から容器内に導入される。ここで、マウンティングカップの圧縮ガス導入孔から導入された圧縮ガスの一部は、圧縮ガスの導入の圧力によってステムラバーが変形することによって生じたマウンティングカップと、ステムラバーとの間の隙間を通った後、ハウジングのスリットを通って、容器内に導入される。また、マウンティングカップの圧縮ガス導入孔から導入された圧縮ガスの他の一部は、圧縮ガスの導入の圧力によってステムラバーが変形することによって生じたステムと、ステムラバーとの間の隙間を通った後、パイプを通って、容器内に導入される。
【先行技術文献】
【特許文献】
【０００４】
【特許文献１】特開２００５−２７１９２１号公報
【発明の概要】
【発明が解決しようとする課題】
【０００５】
しかしながら、従来のエアゾールバルブは、マウンティングカップの圧縮ガス導入孔からエアゾール製品の容器内に導入される圧縮ガスの一部がハウジングのスリットを通して容器内に導入されるので、容器内の内容液にこの圧縮ガスが溶け込む必要がある場合に、容器内の内容液にこの圧縮ガスが溶け込まない可能性があるという問題がある。容器内の内容液に圧縮ガスが溶け込む必要がある場合に、容器内の内容液に圧縮ガスが十分に溶け込まなかったとき、内容液に溶け込まなかった圧縮ガスによって容器内の圧力が異常に高くなり、結果として、容器が破裂する可能性がある。
【０００６】
そこで、本発明は、マウンティングカップの圧縮ガス導入孔からエアゾール製品の容器内に導入される圧縮ガスを容器内の内容液に従来より容易に溶け込ませることができるエアゾールバルブを提供することを目的とする。
【課題を解決するための手段】
【０００７】
本発明のエアゾールバルブは、エアゾール製品の容器内の内容液を前記容器外に放出するための圧縮ガスが導入されるための圧縮ガス導入孔が形成されていて、前記容器に取り付けられるマウンティングカップと、前記マウンティングカップに支持されているハウジングと、前記ハウジングに取り付けられていて、前記容器内の前記内容液に浸かって前記内容液を前記ハウジング内に流通させるためのパイプと、前記マウンティングカップの前記圧縮ガス導入孔に挿入されている状態で前記ハウジングに移動可能に収納されていて、前記ハウジング内の前記内容液を前記容器外に放出するためのステムとを備えているエアゾールバルブであって、前記ハウジングは、前記パイプ内側から前記ステム側に前記内容液を流通させるための内容液用孔と、前記ステム側から前記パイプ内側に前記圧縮ガスを流通させるための圧縮ガス用孔とが形成されており、前記ハウジングは、前記ステム側から前記圧縮ガス用孔を介した前記パイプ内側への前記圧縮ガスの流通を許容し、前記パイプ内側から前記圧縮ガス用孔を介した前記ステム側への前記圧縮ガスの流通を防止する逆流防止部を備えていることを特徴とする。
【０００８】
この構成により、本発明のエアゾールバルブは、マウンティングカップの圧縮ガス導入孔からエアゾール製品の容器内に導入される圧縮ガスの全てがパイプを介して容器内に導入されるので、パイプが浸かっている内容液を、容器内に導入された圧縮ガスによって十分に攪拌しながら圧縮ガスを内容液に溶け込ませることができる。したがって、本発明のエアゾールバルブは、マウンティングカップの圧縮ガス導入孔からエアゾール製品の容器内に導入される圧縮ガスを容器内の内容液に従来より容易に溶け込ませることができる。なお、本発明のエアゾールバルブは、マウンティングカップの圧縮ガス導入孔からエアゾール製品の容器内に導入される圧縮ガスを内容液用孔のみではなく圧縮ガス用孔からも容器内に導入するので、マウンティングカップの圧縮ガス導入孔から容器内に導入される圧縮ガスを内容液用孔のみから容器内に導入する構成と比較して、容器内に導入する圧縮ガスの導入の圧力に対する流量が大きい。したがって、本発明のエアゾールバルブは、エアゾール製品の容器内に導入された圧縮ガスの勢いによって容器内の内容液を十分に攪拌することができる。また、本発明のエアゾールバルブは、エアゾール製品の容器内の内容液を容器外に放出する場合に内容液用孔および圧縮ガス用孔のうち内容液用孔のみを介して内容液を流通させるのに対して、容器内に圧縮ガスを導入する場合に内容液用孔および圧縮ガス用孔の両方を介して圧縮ガスを流通させるので、マウンティングカップの圧縮ガス導入孔から容器内に導入される圧縮ガスを内容液用孔のみから容器内に導入する構成と比較して、容器内に導入する圧縮ガスの導入の圧力に対する流量が大きい。したがって、本発明のエアゾールバルブは、エアゾール製品の容器内に圧縮ガスを短時間で導入することができる。
【０００９】
また、本発明のエアゾールバルブにおいて、前記逆流防止部は、前記圧縮ガス用孔の少なくとも一部を形成するガス用孔形成部材と、前記パイプ内側から前記圧縮ガス用孔を介した前記ステム側への前記圧縮ガスの流通を前記ガス用孔形成部材に接触することによって防止するラバーであるハウジングラバーとを備えており、前記ハウジングラバーは、前記圧縮ガス導入孔から前記ステム側に導入された前記圧縮ガスの導入の圧力によって変形することによって、前記ガス用孔形成部材との間に隙間を生じても良い。
【００１０】
この構成により、本発明のエアゾールバルブは、圧縮ガス導入孔から導入された圧縮ガスの導入の圧力を受ける受圧部としての役割と、圧縮ガス用孔が閉じる方向に受圧部を付勢する役割とをハウジングラバーが備えているので、これらの役割を別々の部材によって実現する構成と比較して、部品点数を低減することができる。
【００１１】
また、本発明のエアゾールバルブにおいて、前記ハウジングは、前記ガス用孔形成部材とともに前記ハウジングラバーを挟み込んで固定するラバー固定部材を備えており、前記ガス用孔形成部材は、前記ラバー固定部材を収納する固定部材収納穴が形成されており、前記圧縮ガス用孔の少なくとも一部は、前記固定部材収納穴における前記ガス用孔形成部材と、前記ラバー固定部材との間の隙間であっても良い。
【００１２】
この構成により、本発明のエアゾールバルブは、ガス用孔形成部材とともにハウジングラバーを挟み込んで固定する役割と、ガス用孔形成部材とともに圧縮ガス用孔を形成する役割とをラバー固定部材が備えているので、これらの役割を別々の部材によって実現する構成と比較して、部品点数を低減することができる。
【００１３】
また、本発明のエアゾールバルブにおいて、前記内容液用孔は、前記固定部材収納穴内を通っていても良い。
【００１４】
この構成により、本発明のエアゾールバルブは、内容液用孔が固定部材収納穴外を通っている構成と比較して、内容液用孔のうちステム側とは反対側の開口の幅を大きくすることができるので、内容液を容器外に容易に放出することができる。
【００１５】
本発明のエアゾール製品は、上述のエアゾールバルブと、前記エアゾールバルブの前記マウンティングカップが取り付けられる前記容器とを備えていることを特徴とする。
【００１６】
この構成により、本発明のエアゾール製品は、マウンティングカップの圧縮ガス導入孔から容器内に導入される圧縮ガスの全てがパイプを介して容器内に導入されるので、パイプが浸かっている内容液を、容器内に導入された圧縮ガスによって十分に攪拌しながら圧縮ガスを内容液に溶け込ませることができる。したがって、本発明のエアゾール製品は、マウンティングカップの圧縮ガス導入孔から容器内に導入される圧縮ガスを容器内の内容液に従来より容易に溶け込ませることができる。なお、本発明のエアゾール製品は、マウンティングカップの圧縮ガス導入孔から容器内に導入される圧縮ガスを内容液用孔のみではなく圧縮ガス用孔からも容器内に導入するので、マウンティングカップの圧縮ガス導入孔から容器内に導入される圧縮ガスを内容液用孔のみから容器内に導入する構成と比較して、容器内に導入する圧縮ガスの導入の圧力に対する流量が大きい。したがって、本発明のエアゾール製品は、容器内に導入された圧縮ガスの勢いによって容器内の内容液を十分に攪拌することができる。また、本発明のエアゾール製品は、容器内の内容液を容器外に放出する場合に内容液用孔および圧縮ガス用孔のうち内容液用孔のみを介して内容液を流通させるのに対して、容器内に圧縮ガスを導入する場合に内容液用孔および圧縮ガス用孔の両方を介して圧縮ガスを流通させるので、マウンティングカップの圧縮ガス導入孔から容器内に導入される圧縮ガスを内容液用孔のみから容器内に導入する構成と比較して、容器内に導入する圧縮ガスの導入の圧力に対する流量が大きい。したがって、本発明のエアゾール製品は、容器内に圧縮ガスを短時間で導入することができる。
【００１７】
また、本発明のエアゾール製品は、前記容器内に前記内容液および前記圧縮ガスを備えており、前記圧縮ガスは、炭酸ガスであっても良い。
【００１８】
炭酸ガスは、一般的に、内容液に溶け込み難い気体である。したがって、本発明のエアゾール製品は、圧縮ガスが炭酸ガスである場合、マウンティングカップの圧縮ガス導入孔から導入された圧縮ガスを容器内の内容液に従来より容易に溶け込ませることができるという利点が特に大きい。
【発明の効果】
【００１９】
本発明のエアゾールバルブは、マウンティングカップの圧縮ガス導入孔からエアゾール製品の容器内に導入される圧縮ガスを容器内の内容液に従来より容易に溶け込ませることができる。
【図面の簡単な説明】
【００２０】
【図１】本発明の一実施の形態に係るエアゾール製品の断面図である。
【図２】（ａ）は、図１に示すハウジング本体の平面図である。（ｂ）は、図２（ａ）に示すハウジング本体の底面図である。
【図３】（ａ）は、図１に示すブッシュの平面図である。（ｂ）は、図３（ｂ）に示すブッシュの底面図である。
【図４】容器内に炭酸ガスが導入されている状態での図１に示すエアゾール製品の断面図である。
【図５】図４に示す状態でのエアゾール製品の一部を拡大した断面図である。
【図６】内容液が放出されている状態での図１に示すエアゾール製品の一部を拡大した断面図である。
【発明を実施するための形態】
【００２１】
以下、本発明の一実施の形態について、図面を用いて説明する。
【００２２】
まず、本実施の形態に係るエアゾール製品の構成について説明する。
【００２３】
図１は、本実施の形態に係るエアゾール製品１０の断面図である。
【００２４】
図１に示すように、エアゾール製品１０は、容器２０と、容器２０に取り付けられたエアゾールバルブ３０とを備えている。
【００２５】
容器２０は、内容液１１と、容器２０内の内容液１１を容器２０外に放出するための圧縮ガスとしての炭酸ガス１２とを収納している。容器２０の材質は、例えば金属である。
【００２６】
エアゾールバルブ３０は、容器２０に取り付けられるマウンティングカップ３１と、マウンティングカップ３１に支持されているハウジング４０と、ハウジング４０に移動可能に収納されているステム３２と、マウンティングカップ３１およびハウジング４０に支持されているステムラバー３３と、ハウジング４０およびステム３２の間に収納されているスプリング３４と、容器２０およびマウンティングカップ３１の間に配置されるパッキン３５と、ハウジング４０に取り付けられているパイプ３６とを備えている。
【００２７】
マウンティングカップ３１は、容器２０の形状に沿って一部が変形させられることによって容器２０に取り付けられる。マウンティングカップ３１は、ステム３２が挿入されている孔３１ａが中央に形成されている。孔３１ａは、炭酸ガス１２が導入されるための圧縮ガス導入孔としての役割を有している。マウンティングカップ３１の材質は、例えば金属である。
【００２８】
ハウジング４０は、パイプ３６内側からステム３２側に内容液１１を流通させるための内容液用孔４０ａと、ステム３２側からパイプ３６内側に炭酸ガス１２を流通させるための圧縮ガス用孔４０ｂとが形成されている。
【００２９】
また、ハウジング４０は、圧縮ガス用孔４０ｂの一部を形成するガス用孔形成部材としてのハウジング本体４１と、パイプ３６内側から圧縮ガス用孔４０ｂを介したステム３２側への炭酸ガス１２の流通をハウジング本体４１に接触することによって防止するラバーであるハウジングラバー４２と、ハウジング本体４１とともにハウジングラバー４２を挟み込んで固定するラバー固定部材としてのブッシュ４３とを備えている。
【００３０】
なお、ハウジング４０は、マウンティングカップ３１の孔３１ａから導入された炭酸ガス１２の導入の圧力によってステムラバー３３が変形させられて生じたマウンティングカップ３１と、ステムラバー３３との間の隙間と、容器２０内とを連通する、従来のようなスリットが形成されていない。
【００３１】
ハウジング本体４１およびハウジングラバー４２は、ステム３２側から圧縮ガス用孔４０ｂを介したパイプ３６内側への炭酸ガス１２の流通を許容し、パイプ３６内側から圧縮ガス用孔４０ｂを介したステム３２側への炭酸ガス１２の流通を防止する逆流防止部４０ｃを構成している。
【００３２】
図２（ａ）は、ハウジング本体４１の平面図である。図２（ｂ）は、ハウジング本体４１の底面図である。
【００３３】
図１および図２に示すように、ハウジング本体４１は、ステム３２を収納している空間４１ａと、ブッシュ４３を収納する固定部材収納穴としてのブッシュ収納穴４１ｂと、中央に配置されている孔４１ｃと、孔４１ｃの周囲に配置されている複数の孔４１ｄとが形成されている。ハウジング本体４１は、マウンティングカップ３１の一部がハウジング本体４１の形状に沿って変形させられることによってマウンティングカップ３１によって支持される被支持部４１ｅと、ハウジング４０に対してステム３２が移動させられる場合にマウンティングカップ３１およびハウジング４０の間からステムラバー３３が抜けることを防止するためにステムラバー３３に減り込ませられる突起４１ｆと、放射状に複数配置されていてスプリング３４を支持しているリブ４１ｇと、パイプ３６内に挿し込まれることによってパイプ３６を支持するパイプ支持部４１ｈと、ハウジングラバー４２およびブッシュ４３に挿し込まれることによってハウジングラバー４２およびブッシュ４３を支持する支持部４１ｉとを備えている。ここで、リブ４１ｇは、ステム３２が移動させられてステム３２と接触した場合に、空間４１ａと、孔４１ｃおよび孔４１ｄとの連通がステム３２によって妨げられることを防止している。孔４１ｃのうちブッシュ収納穴４１ｂ側の部分は、支持部４１ｉに形成されている。ハウジング本体４１の材質は、例えば合成樹脂である。
【００３４】
図１に示すように、ハウジングラバー４２は、孔３１ａからハウジングラバー４２のステム３２側に導入された炭酸ガス１２の導入の圧力によって変形することによって、ハウジング本体４１との間に隙間を生じるリング状の部材である。
【００３５】
図３（ａ）は、ブッシュ４３の平面図である。図３（ｂ）は、ブッシュ４３の底面図である。
【００３６】
図１よび図３に示すように、ブッシュ４３は、ハウジング本体４１に支持されるためにハウジング本体４１の支持部４１ｉが挿し込まれる孔４３ａと、孔４３ａに連通している孔４３ｂとが形成されている。ブッシュ４３の材質は、例えば合成樹脂である。
【００３７】
図１に示すように、ハウジング４０の内容液用孔４０ａは、ハウジング本体４１の孔４１ｃと、ブッシュ４３の孔４３ｂとによって構成されている。また、内容液用孔４０ａは、ハウジング本体４１のブッシュ収納穴４１ｂ内を通っている。
【００３８】
ハウジング４０の圧縮ガス用孔４０ｂは、ハウジング本体４１のブッシュ収納穴４１ｂにおけるハウジング本体４１と、ブッシュ４３との間の隙間と、ハウジング本体４１の孔４１ｄとによって構成されている。すなわち、圧縮ガス用孔４０ｂの一部は、ハウジング本体４１のブッシュ収納穴４１ｂにおけるハウジング本体４１と、ブッシュ４３との間の隙間である。
【００３９】
ステム３２は、パイプ３６を介してハウジング４０内に導入された内容液１１を容器２０外に放出するための部材である。ステム３２は、ステムラバー３３によって開閉されるステム孔３２ａと、ステム孔３２ａに連通していて内容液１１が放出される放出穴３２ｂとが形成されている。ステム３２の材質は、例えば合成樹脂である。
【００４０】
ステムラバー３３は、内容液１１が容器２０外に放出されることをステム３２に接触することによって防止するためのリング状の部材である。
【００４１】
スプリング３４は、ステム３２をハウジング４０外側に付勢するための部材である。スプリング３４の材質は、例えば金属である。
【００４２】
パッキン３５は、容器２０内の内容液１１または炭酸ガス１２が容器２０と、マウンティングカップ３１との間を介して容器２０外に漏れ出すことを防止するための部材である。パッキン３５の材質は、例えばゴムである。
【００４３】
パイプ３６は、容器２０内の内容液１１に浸かって内容液１１をハウジング４０内に流通させるための部材である。パイプ３６の材質は、例えば合成樹脂である。
【００４４】
次に、容器２０内への炭酸ガス１２の充填方法について説明する。
【００４５】
図４は、容器２０内に炭酸ガス１２が導入されている状態でのエアゾール製品１０の断面図である。図５は、図４に示す状態でのエアゾール製品１０の一部を拡大した断面図である。なお、図５においては、炭酸ガス１２の流れが矢印で描かれている。
【００４６】
容器２０内に内容液１１が収納されている状態で、図４および図５に示すようにステム３２が移動させられた後、マウンティングカップ３１の孔３１ａから炭酸ガス１２が導入される。すなわち、炭酸ガス１２は、孔３１ａのうちマウンティングカップ３１と、ステム３２との隙間と、孔３１ａのうちステム３２の放出穴３２ｂとから導入される。
【００４７】
ここで、孔３１ａのうちマウンティングカップ３１と、ステム３２との隙間から導入された炭酸ガス１２は、導入の圧力によってステムラバー３３を変形させることによって、ステム３２と、ステムラバー３３との間に隙間を生じさせ、この隙間を介してハウジング４０内、すなわち、空間４１ａ内に導入される。
【００４８】
また、孔３１ａのうちステム３２の放出穴３２ｂから導入された炭酸ガス１２は、ステム３２のステム孔３２ａを介してハウジング４０内、すなわち、空間４１ａ内に導入される。
【００４９】
ハウジング４０内に導入された炭酸ガス１２は、ハウジング４０の内容液用孔４０ａおよび圧縮ガス用孔４０ｂに導入される。
【００５０】
ここで、ハウジング４０の内容液用孔４０ａに導入された炭酸ガス１２は、そのままパイプ３６内に導入される。
【００５１】
また、ハウジング４０の圧縮ガス用孔４０ｂに導入された炭酸ガス１２は、導入の圧力によってハウジングラバー４２を変形させることによって、ハウジング本体４１と、ハウジングラバー４２との間に隙間を生じさせ、この隙間を介してパイプ３６内に導入される。
【００５２】
パイプ３６内に導入された炭酸ガス１２は、パイプ３６からパイプ３６が浸かっている内容液１１内に泡１２ａとなって導入され、内容液１１を攪拌しながら内容液１１に一部が溶け込む。
【００５３】
以上のようにして、炭酸ガス１２は、図１に示すように容器２０内に充填される。
【００５４】
次に、内容液１１の放出方法について説明する。
【００５５】
図６は、内容液１１が放出されている状態でのエアゾール製品１０の一部を拡大した断面図である。なお、図６においては、内容液１１の流れが矢印で描かれている。
【００５６】
図１に示すように容器２０内に内容液１１および炭酸ガス１２が収納されている状態で、図６に示すようにステム３２が移動させられると、圧縮ガスである炭酸ガス１２によって押された内容液１１は、容器２０内から、パイプ３６内、ハウジング４０の内容液用孔４０ａ、ハウジング４０内、ステム３２のステム孔３２ａを順に通って、ステム３２の放出穴３２ｂから放出される。
【００５７】
以上に説明したように、エアゾール製品１０およびエアゾールバルブ３０は、マウンティングカップ３１の孔３１ａから容器２０内に導入される炭酸ガス１２の全てがパイプ３６を介して容器２０内に導入されるので、パイプ３６が浸かっている内容液１１を、容器２０内に導入された炭酸ガス１２によって十分に攪拌しながら炭酸ガス１２を内容液１１に溶け込ませることができる。したがって、エアゾール製品１０およびエアゾールバルブ３０は、マウンティングカップ３１の孔３１ａから容器２０内に導入される炭酸ガス１２を容器２０内の内容液１１に従来より容易に溶け込ませることができる。
【００５８】
なお、エアゾール製品１０およびエアゾールバルブ３０は、マウンティングカップ３１の孔３１ａから容器２０内に導入される炭酸ガス１２を内容液用孔４０ａのみではなく圧縮ガス用孔４０ｂからも容器２０内に導入するので、マウンティングカップ３１の孔３１ａから容器２０内に導入される炭酸ガス１２を内容液用孔４０ａのみから容器２０内に導入する構成と比較して、容器２０内に導入する炭酸ガス１２の導入の圧力に対する流量が大きい。したがって、エアゾール製品１０およびエアゾールバルブ３０は、容器２０内に導入された炭酸ガス１２の勢いによって容器２０内の内容液１１を十分に攪拌することができる。
【００５９】
また、エアゾール製品１０およびエアゾールバルブ３０は、容器２０内の内容液１１を容器２０外に放出する場合に内容液用孔４０ａおよび圧縮ガス用孔４０ｂのうち内容液用孔４０ａのみを介して内容液１１を流通させるのに対して、容器２０内に炭酸ガス１２を導入する場合に内容液用孔４０ａおよび圧縮ガス用孔４０ｂの両方を介して炭酸ガス１２を流通させるので、マウンティングカップ３１の孔３１ａから容器２０内に導入される炭酸ガス１２を内容液用孔４０ａのみから容器２０内に導入する構成と比較して、容器２０内に導入する炭酸ガス１２の導入の圧力に対する流量が大きい。したがって、エアゾール製品１０およびエアゾールバルブ３０は、容器２０内に炭酸ガス１２を例えば数秒間などの短時間で導入することができる。
【００６０】
エアゾール製品１０およびエアゾールバルブ３０は、マウンティングカップ３１の孔３１ａから導入された炭酸ガス１２の導入の圧力を受ける受圧部としての役割と、圧縮ガス用孔４０ｂが閉じる方向に受圧部を付勢する役割とをハウジングラバー４２が備えているので、これらの役割を別々の部材によって実現する構成と比較して、部品点数を低減することができる。
【００６１】
なお、エアゾール製品１０およびエアゾールバルブ３０は、ステム３２側から圧縮ガス用孔４０ｂを介したパイプ３６内側への炭酸ガス１２の流通を許容し、パイプ３６内側から圧縮ガス用孔４０ｂを介したステム３２側への炭酸ガス１２の流通を防止する逆流防止部４０ｃが、ハウジング本体４１およびハウジングラバー４２からなる構成以外の構成によって実現されていても良い。
【００６２】
エアゾール製品１０およびエアゾールバルブ３０は、ハウジング本体４１とともにハウジングラバー４２を挟み込んで固定する役割と、ハウジング本体４１とともに圧縮ガス用孔４０ｂを形成する役割とをブッシュ４３が備えているので、これらの役割を別々の部材によって実現する構成と比較して、部品点数を低減することができる。
【００６３】
しかしながら、エアゾール製品１０およびエアゾールバルブ３０は、ハウジング本体４１とともにハウジングラバー４２を挟み込んで固定する役割と、ハウジング本体４１とともに圧縮ガス用孔４０ｂを形成する役割とを別々の部材によって実現する構成であっても良い。
【００６４】
エアゾール製品１０およびエアゾールバルブ３０は、ハウジング４０の内容液用孔４０ａがハウジング本体４１のブッシュ収納穴４１ｂ内を通っているので、ハウジング４０の内容液用孔４０ａがハウジング本体４１のブッシュ収納穴４１ｂ外を通っている構成と比較して、内容液用孔４０ａのうちステム３２側とは反対側の開口の幅を大きくすることができる。したがって、エアゾール製品１０およびエアゾールバルブ３０は、内容液１１を容器２０外に容易に放出することができる。
【００６５】
しかしながら、エアゾール製品１０およびエアゾールバルブ３０は、ハウジング４０の内容液用孔４０ａがハウジング本体４１のブッシュ収納穴４１ｂ外を通っている構成であっても良い。
【００６６】
炭酸ガスは、一般的に、内容液に溶け込み難い気体である。したがって、エアゾール製品１０は、圧縮ガスが炭酸ガス１２である場合、マウンティングカップ３１の孔３１ａから導入された圧縮ガスを容器２０内の内容液１１に従来より容易に溶け込ませることができるという利点が特に大きい。
【００６７】
しかしながら、エアゾール製品１０は、圧縮ガスとして炭酸ガス以外の気体が充填されるようになっていても良い。
【符号の説明】
【００６８】
１０  エアゾール製品
１１  内容液
１２  炭酸ガス（圧縮ガス）
２０  容器
３０  エアゾールバルブ
３１  マウンティングカップ
３１ａ  孔（圧縮ガス導入孔）
３２  ステム
３６  パイプ
４０  ハウジング
４０ａ  内容液用孔
４０ｂ  圧縮ガス用孔
４０ｃ  逆流防止部
４１  ハウジング本体（ガス用孔形成部材）
４１ｂ  ブッシュ収納穴（固定部材収納穴）
４２  ハウジングラバー
４３  ブッシュ（ラバー固定部材）
【図１】
2014084151.tif 000003
【図２】
2014084151.tif 000004
【図３】
2014084151.tif 000005
【図４】
2014084151.tif 000006
【図５】
2014084151.tif 000007
【図６】
2014084151.tif 000008